【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
入力信号光を増幅して出力する光増幅部と、
該光増幅部に励起光を供給する主励起光源および補助励起光源と、
該主励起光源および該補助励起光源の動作を制御する励起光源制御部とをそなえ、
該励起光源制御部が、該光増幅部に入力される信号光のチャネル数が変化するとき、変化後のチャネル数が予め設定された所定のチャネル数以上であるときは該補助励起光源より供給される励起光の出力強度を保ちつつ該主励起光源より供給される励起光の強度を該変化後のチャネル数に応じて制御し、該変化後のチャネル数が該所定のチャネル数より小さいときには該主励起光源および該補助励起光源を協働させ、該主励起光源および該補助励起光源より供給される励起光の強度を該変化後のチャネル数に応じて制御することを特徴とする、光増幅器。
【請求項２】
該補助励起光源の出力の有無が、該励起光源制御部により制御されることを特徴とする、請求項１記載の光増幅器。
【請求項３】
該主励起光源および該補助励起光源の出力量が、該励起光源制御部により制御されることを特徴とする、請求項１記載の光増幅器。
【請求項４】
該主励起光源が、該励起光源制御部により該光増幅部に供給する励起光の出力量をアナログ制御される一方、該補助励起光源が、該主励起光源についての制御利得と制御時定数との比より一桁以上小さい制御利得と制御時定数との比を有し該励起光源制御部により該光増幅部に供給する励起光の出力量をアナログ制御されるように構成されたことを特徴とする、請求項１記載の光増幅器。
【請求項５】
該補助励起光源の配設位置近傍の温度を制御する温度制御部をそなえたことを特徴とする、請求項１記載の光増幅器。
【請求項６】
該所定のチャネル数が、該主励起光源が供給を予定する最大励起光量に応じたチャネル数であることを特徴とする、請求項１記載の光増幅器。
【請求項７】
該励起光源制御部が、信号光の入力側から通知されるチャネル数情報に基づいて、該光増幅部に入力される信号光のチャネル数を認識するように構成されたことを特徴とする、請求項１記載の光増幅器。
【請求項８】
該励起光源制御部が、該主励起光源の動作状態に関する情報に基づいて、該光増幅部に入力される信号光のチャネル数が予め設定された所定のチャネル数より大きいか否かを判定するように構成されたことを特徴とする、請求項１記載の光増幅器。
【請求項９】
該主励起光源の動作状態に関する情報として、該主励起光源を動作させるための駆動電流に関する情報が用いられることを特徴とする、請求項８記載の光増幅器。
【請求項１０】
該主励起光源の動作状態に関する情報として、該主励起光源からのもれ光量に関する情報が用いられることを特徴とする、請求項８記載の光増幅器。
【請求項１１】
該主励起光源の動作状態に関する情報として、該主励起光源から分岐された励起光量に関する情報が用いられることを特徴とする、請求項８記載の光増幅器。
【請求項１２】
該光増幅部に入力される信号光のチャネル数が増減したときに、該光増幅部に施される制御をレベル一定制御と利得一定制御との間で切り換える切換部をそなえて構成されたことを特徴とする、請求項１記載の光増幅器。
【請求項１３】
該励起光源制御部により該補助励起光源の励起光の出力が制御されるときに、該切換部が、該光増幅部に施される制御を利得一定制御からレベル一定制御に切り換えることを特徴とする、請求項１２記載の光増幅器。
【請求項１４】
該励起光源制御部が、
該光増幅器の出力側端部が開放されたことを認識したときには、該光増幅部の出力信号光のレベルを所定値以下に低減すべく、上記主励起光源及び補助励起光源から供給される励起光量を調節するとともに、
該出力側端部が接続されたことを認識したときには、該光増幅部の出力信号光のレベルを正常値に設定すべく、上記補助励起光源の励起光出力状態を維持したまま、該主励起光源から供給される励起光量を調整するように構成されたことを特徴とする、請求項１記載の光増幅器。
【請求項１５】
該励起光源制御部が、入力信号光のパワーのモニタ結果に基づいて、該光増幅部に入力される信号光のチャネル数が予め設定された所定のチャネル数より大きいか否かを判定するように構成されたことを特徴とする、請求項１記載の光増幅器。
【請求項１６】
入力信号光を増幅して出力する光増幅部と、該光増幅部に励起光を供給する主励起光源および補助励起光源と、該主励起光源および該補助励起光源の動作を制御する励起光源制御部とをそなえて構成される光増幅器における励起光源制御方法であって、
該励起光源制御部が、該光増幅部に入力される信号光のチャネル数が変化するとき、変化後のチャネル数が予め設定された所定のチャネル数以上であるときは該補助励起光源より供給される励起光の出力強度を保ちつつ該主励起光源より供給される励起光の強度を該変化後のチャネル数に応じて制御し、該変化後のチャネル数が該所定のチャネル数より小さいときには該主励起光源および該補助励起光源を協働させ、該主励起光源および該補助励起光源より供給される励起光の強度を該変化後のチャネル数に応じて制御することを特徴とする、光増幅器における励起光源制御方法。
【請求項１７】
該励起光源制御部によって、該補助励起光源の出力の有無が制御されることを特徴とする、請求項１６記載の光増幅器における励起光源制御方法。
【請求項１８】
該励起光源制御部によって、該主励起光源および該補助励起光源の出力量が制御されることを特徴とする、請求項１６記載の光増幅器における励起光源制御方法。
【請求項１９】
該所定のチャネル数が、該主励起光源が供給を予定する最大励起光量に応じたチャネル数であることを特徴とする、請求項１６記載の光増幅器における励起光源制御方法。
【請求項２０】
該光増幅部に施す制御をレベル一定制御と利得一定制御との間で切り換えるための待ち時間であって、当該信号光のチャネル数の切り換えを受け付けないガードタイムが設けられたことを特徴とする、請求項１６記載の光増幅器における励起光源制御方法。
【手続補正２】
【補正対象書類名】明細書
【補正対象項目名】発明の名称
【補正方法】変更
【補正の内容】
【発明の名称】光増幅器および光増幅器における励起光源制御方法
【手続補正３】
【補正対象書類名】明細書
【補正対象項目名】０００１
【補正方法】変更
【補正の内容】
【０００１】
本発明は、例えば波長多重光通信システムにおいて、システム運用中に信号光のチャネル数（信号光に多重する波長数）を増減する際に用いて好適な、光増幅器および光増幅器における励起光源制御方法に関する。
【手続補正４】
【補正対象書類名】明細書
【補正対象項目名】０００７
【補正方法】変更
【補正の内容】
【０００７】
本発明は、このような課題に鑑み創案されたもので、光通信システムの運用中においても、信号光のチャネル数の増減に応じて安定に励起光源を増設又は撤去できるようにした、光増幅器および光増幅器における励起光源制御方法を提供することを目的とする。
【手続補正５】
【補正対象書類名】明細書
【補正対象項目名】０００８
【補正方法】変更
【補正の内容】
【０００８】
このため本発明の光増幅器は、入力信号光を増幅して出力する光増幅部と、該光増幅部に励起光を供給する主励起光源および補助励起光源と、該主励起光源および該補助励起光源の動作を制御する励起光源制御部とをそなえ、該励起光源制御部が、該光増幅部に入力される信号光のチャネル数が変化するとき、変化後のチャネル数が予め設定された所定のチャネル数以上であるときは該補助励起光源より供給される励起光の出力強度を保ちつつ該主励起光源より供給される励起光の強度を該変化後のチャネル数に応じて制御し、該変化後のチャネル数が該所定のチャネル数より小さいときには該主励起光源および該補助励起光源を協働させ、該主励起光源および該補助励起光源より供給される励起光の強度を該変化後のチャネル数に応じて制御することを特徴としている。
なお、該補助励起光源の出力の有無が、該励起光源制御部により制御されることが好ましい。
さらに、該主励起光源および該補助励起光源の出力量が、該励起光源制御部により制御されることが好ましい。
また、該主励起光源が、該励起光源制御部により該光増幅部に供給する励起光の出力量をアナログ制御される一方、該補助励起光源が、該主励起光源についての制御利得と制御時定数との比より一桁以上小さい制御利得と制御時定数との比を有し該励起光源制御部により該光増幅部に供給する励起光の出力量をアナログ制御されるように構成されることが好ましい。
なお、該補助励起光源の配設位置近傍の温度を制御する温度制御部をそなえることが好ましい。
さらに、該所定のチャネル数が、該主励起光源が供給を予定する最大励起光量に応じたチャネル数であることが好ましい。
また、該励起光源制御部が、信号光の入力側から通知されるチャネル数情報に基づいて、該光増幅部に入力される信号光のチャネル数を認識するように構成されることが好ましい。
なお、該励起光源制御部が、該主励起光源の動作状態に関する情報に基づいて、該光増幅部に入力される信号光のチャネル数が予め設定された所定のチャネル数より大きいか否かを判定するように構成されることが好ましい。
さらに、該主励起光源の動作状態に関する情報として、該主励起光源を動作させるための駆動電流に関する情報が用いられることが好ましく、あるいは、該主励起光源の動作状態に関する情報として、該主励起光源からのもれ光量に関する情報が用いられることが好ましく、もしくは、該主励起光源の動作状態に関する情報として、該主励起光源から分岐された励起光量に関する情報が用いられることが好ましい。
また、該光増幅部に入力される信号光のチャネル数が増減したときに、該光増幅部に施される制御をレベル一定制御と利得一定制御との間で切り換える切換部をそなえて構成されることが好ましく、このとき、該励起光源制御部により該補助励起光源の励起光の出力が制御されるときに、該切換部が、該光増幅部に施される制御を利得一定制御からレベル一定制御に切り換えることが好ましい。
なお、該励起光源制御部が、該光増幅器の出力側端部が開放されたことを認識したときには、該光増幅部の出力信号光のレベルを所定値以下に低減すべく、上記主励起光源及び補助励起光源から供給される励起光量を調節するとともに、 該出力側端部が接続されたことを認識したときには、該光増幅部の出力信号光のレベルを正常値に設定すべく、上記補助励起光源の励起光出力状態を維持したまま、該主励起光源から供給される励起光量を調整するように構成されることが好ましい。
さらに、該励起光源制御部が、入力信号光のパワーのモニタ結果に基づいて、該光増幅部に入力される信号光のチャネル数が予め設定された所定のチャネル数より大きいか否かを判定するように構成されることが好ましい。
また、上記目的を達成するために、本発明の光増幅器における励起光源制御方法は、入力信号光を増幅して出力する光増幅部と、該光増幅部に励起光を供給する主励起光源および補助励起光源と、該主励起光源および該補助励起光源の動作を制御する励起光源制御部とをそなえて構成される光増幅器における励起光源制御方法であって、該励起光源制御部が、該光増幅部に入力される信号光のチャネル数が変化するとき、変化後のチャネル数が予め設定された所定のチャネル数以上であるときは該補助励起光源より供給される励起光の出力強度を保ちつつ該主励起光源より供給される励起光の強度を該変化後のチャネル数に応じて制御し、該変化後のチャネル数が該所定のチャネル数より小さいときには該主励起光源および該補助励起光源を協働させ、該主励起光源および該補助励起光源より供給される励起光の強度を該変化後のチャネル数に応じて制御することを特徴としている。
なお、該励起光源制御部によって、該補助励起光源の出力の有無が制御されることが好ましい。
さらに、該励起光源制御部によって、該主励起光源および該補助励起光源の出力量が制御されることが好ましい。
また、該所定のチャネル数が、該主励起光源が供給を予定する最大励起光量に応じたチャネル数であることが好ましい。
なお、該光増幅部に施す制御をレベル一定制御と利得一定制御との間で切り換えるための待ち時間であって、当該信号光のチャネル数の切り換えを受け付けないガードタイムが設けられることが好ましい。